(57)【要約】【課題】再生位置の変更を行う際、再生映像が見にくくなってしまうことを防止すること。【解決手段】実施形態によれば、入力手段と、ディスプレイと、コンテンツ情報取得手段と、カタログ取得手段と、第１表示手段とを具備する。コンテンツ情報取得手段は、再生装置が有するコンテンツを示すコンテンツ情報を再生装置から取得する。カタログ取得手段は、コンテンツ情報に対応する、コンテンツの再生変更位置を示す時間情報を含む再生位置リストの情報をディスプレイに表示するための第１再生位置リストカタログをサーバコンピュータから取得する。第１表示手段は、カタログ取得手段によって取得された第１再生位置リストカタログに応じて複数の再生位置リストを示す情報をディスプレイに表示する。【選択図】    図１
2012029241.tif 000002
【特許請求の範囲】
【請求項１】
入力手段と、
ディスプレイと、
再生装置が有するコンテンツを示すコンテンツ情報を前記再生装置から取得するコンテンツ情報取得手段と、
前記コンテンツ情報に対応する再生位置リストの情報を前記ディスプレイに表示するための第１再生位置リストカタログをサーバコンピュータから取得するカタログ取得手段であって、前記再生位置リストは前記コンテンツの再生変更位置を示す時間情報を含むカタログ取得手段と、
前記カタログ取得手段によって取得された第１再生位置リストカタログに応じて再生位置リストを示す情報を前記ディスプレイに表示する第１表示手段と、
前記ディスプレイに表示されている再生位置リストの情報から前記入力手段からの入力に応じて選択された第１再生位置リスト内の時間情報を前記ディスプレイに表示する第２表示手段と、
前記入力手段からの入力に応じて選択された時間情報に対応する再生位置にジャンプするための命令を前記再生装置に送信する送信手段と、
を具備する電子機器。
【請求項２】
前記ディスプレイに表示されている再生位置リストの情報から前記入力手段からの入力に応じて選択された第２再生位置リストを示す情報を前記サーバコンピュータに送信する第２送信手段を更に具備し、
前記カタログ取得手段は、前記第２再生位置リストとの類似度が高い複数の第３再生位置リストの情報を表示するための第２再生位置リストカタログを前記サーバコンピュータから取得し、
前記第１表示手段は、前記第２再生位置リストカタログに応じて前記複数の第３再生位置リストを示す情報を前記ディスプレイに表示する
請求項１記載の電子機器。
【請求項３】
前記類似度は、前記第１再生位置リストの時間情報が示す時間と当該時間情報に近い前記サーバコンピュータが有する第４再生位置リストの時間情報が示す時間との差の絶対値を算出し、前記第１再生位置リストの各時間情報の差の絶対値の和を算出することによって算出される
請求項２記載の電子機器。
【請求項４】
前記類似度は、前記第１再生位置リスト内の時間情報の個数と前記第４再生位置リスト内の時間情報の個数とが異なる場合に、前記第１再生位置リスト内の時間情報と前記第４再生位置リスト内の時間情報とを１対１で対応させる組み合わせを全て作成し、作成された各組み合わせについて対応する時間情報の差の絶対値の総和をそれぞれ算出し、算出された総和の内から最小値の総和を検出することによって算出される
請求項２記載の電子機器。
【請求項５】
再生装置が有するコンテンツを示すコンテンツ情報を前記再生装置から取得し、
前記コンテンツ情報に対応する再生位置リストの情報を前記ディスプレイに表示するための第１再生位置リストカタログをサーバコンピュータから取得するであって、前記再生位置リストは前記コンテンツの再生変更位置を示す時間情報を含む、
前記取得された第１再生位置リストカタログに応じて再生位置リストを示す情報を前記ディスプレイに表示し、
前記ディスプレイに表示されている再生位置リストの情報から前記入力手段からの入力に応じて選択された第１再生位置リスト内の時間情報を前記ディスプレイに表示し、
前記入力手段からの入力に応じて選択された時間情報に対応する再生位置にジャンプするための命令を前記再生装置に送信する
再生位置リストの表示方法。
【請求項６】
前記ディスプレイに表示されている再生位置リストの情報から前記入力手段からの入力に応じて選択された第２再生位置リストを示す情報を前記サーバコンピュータに送信し、
前記第２再生位置リストとの類似度が高い複数の第３再生位置リストの情報を表示するための第２再生位置リストカタログを前記サーバコンピュータから取得し、
前記第２再生位置リストカタログに応じて前記複数の第３再生位置リストを示す情報を前記ディスプレイに表示する、
請求項５に記載の再生位置リストの表示方法。
【請求項７】
前記類似度は、前記第１再生位置リストの時間情報が示す時間と当該時間情報に近い前記サーバコンピュータが有する第４再生位置リストの時間情報が示す時間との差の絶対値を算出し、前記第１再生位置リストの各時間情報の差の絶対値の和を算出することによって算出される
請求項６に記載の再生位置リストの表示方法。
【発明の詳細な説明】
【技術分野】
【０００１】
本発明の実施の形態は、サーバコンピュータから取得した再生リストを表示する電子機器に関する。
【背景技術】
【０００２】
放送により提供される番組及びネットワークを用いて配信される番組あるいはユーザが撮影した動画データに対し、任意の位置に、区切りや目印としてチャプタを挿入することができる。
【０００３】
また、ネットワークを介して動画データを再生する再生装置を制御することができる。
【先行技術文献】
【特許文献】
【０００４】
【特許文献１】特開２００５−２４４７１７号公報
【特許文献２】特開２００５−２１７８７５号公報
【特許文献３】特開２００４−１８６８２６号公報
【特許文献４】特開２００４−１８６７７０号公報
【発明の概要】
【発明が解決しようとする課題】
【０００５】
視聴者が設定したチャプタ（再生変更位置）の設定をサーバコンピュータにアップロードし、アップロードされた設定を他のユーザに配布することが考えられている。
【０００６】
チャプタの操作を行うためにチャプタの情報を再生が行われているディスプレイに表示すると、再生映像が見にくくなってしまう。
【０００７】
本発明の目的は、再生位置の変更を行う際、再生映像が見にくくなってしまうことを防止することが可能な電子機器を提供することを目的とする。
【課題を解決するための手段】
【０００８】
実施形態によれば、電子機器は、入力手段と、ディスプレイと、コンテンツ情報取得手段と、カタログ取得手段と、第１表示手段と、第２表示手段と、送信手段とを具備する。
【０００９】
コンテンツ情報取得手段は、再生装置が有するコンテンツを示すコンテンツ情報を前記再生装置から取得する。カタログ取得手段は、前記コンテンツ情報に対応する再生位置リストの情報を前記ディスプレイに表示するための第１再生位置リストカタログをサーバコンピュータから取得するものであって、前記再生位置リストは前記コンテンツの再生変更位置を示す時間情報を含む。第１表示手段は、前記取得手段によって取得された第１再生位置リストカタログに応じて再生位置リストを示す情報を前記ディスプレイに表示する。第２表示手段は、前記ディスプレイに表示されている再生位置リストの情報から前記入力手段からの入力に応じて選択された第１再生位置リスト内の時間情報を前記ディスプレイに表示する。送信手段は、前記入力手段からの入力に応じて選択された時間情報に対応する再生位置にジャンプするための命令を前記再生装置に送信する。
【図面の簡単な説明】
【００１０】
【図１】実施形態のクラウドシステムの構成を示すブロック図。
【図２】実施形態の類似度を説明するための図。
【図３】実施形態のタグリストの一覧の表示例を示す図。
【図４】実施形態のタグリストの一覧の表示例を示す図。
【図５】実施形態のタグリストの一覧の表示例を示す図。
【図６】類似度が高い順にタグリストの名称等の一覧を表示する処理の手順を示すフローチャート。
【発明を実施するための形態】
【００１１】
以下、実施の形態について図面を参照して説明する。
【００１２】
図１は、実施形態のクラウドシステムの構成を示すブロック図である。図１に示すように、クラウドシステムは、テレビ１０、サーバコンピュータ２０、およびコントローラ（電子機器）３０等から構成される。
【００１３】
テレビ１０とルータ５０との間は、有線ＬＡＮ（Local Area network）８０によって接続されている。また、コントローラ３０とルータ５０との間は、無線ＬＡＮ７０によって接続されている。ルータ５０とサーバコンピュータ２０との間は、インターネット６０によって接続されている。
【００１４】
テレビ１０は、チューナ１１、録画部１２、ハードディスクドライブ（ＨＤＤ）１３、再生部１４、およびディスプレイ１５等を備えている。
【００１５】
サーバコンピュータ２０は、タグリスト格納部２１、タグリストカタログ送信部２２、番組ＩＤ受信部２３、番組検出部２４、タグリストＩＤ受信部２５、および類似タグリスト検出部２６等を備えている。
【００１６】
コントローラ３０は、タグリスト受信部３１、表示部３２、ディスプレイ３３、タグリスト格納部３４、番組情報取得部３５、番組情報格納部３６、入力部３７、入力判定部３８、番組ＩＤ取得部３９、番組ＩＤ送信部４０、タグリストＩＤ取得部４１、タグリストＩＤ送信部４２、および再生位置変更命令送信部４３等を備えている。
【００１７】
チューナ１１は、放送局から送信された放送波を受信し、復調する処理を行う。録画部１２は、チューナ１１によって復調された番組（コンテンツ）をＨＤＤ１３に格納する処理を行う。再生部１４は、チューナ１１によって復調されたコンテンツまたはＨＤＤ１３内に格納されているコンテンツを再生し、ディスプレイ１５に表示する処理を行う。
【００１８】
サーバコンピュータ２０のタグリスト格納部２１には、複数のタグリスト（再生位置）が格納されている。タグリストは、番組を録画したコンテンツに対してタグリストを設定した機器から送信される。タグリスト内には、番組ＩＤ、タグリストＩＤ、タグ情報、レーティング等が記述されている。タグ情報内には時間情報と説明情報との対が複数記述されている。時間情報は、再生位置を示す情報であり、時間情報に応じて再生位置を変更するための命令がコントローラ３０からテレビ１０に送信される。なお、タグリストは、ＳＭＩＬ（Synchronized Multimedia Integration Language）によって記述されている。
【００１９】
タグリストカタログ送信部２２は、コントローラ３０からの要求に応じて複数のタグリストの名称やレーティング等を表示するためのタグリストカタログをコントローラ３０に送信する。例えば、番組ＩＤ受信部２３がコントローラ３０から送信された番組ＩＤを取得した場合、番組検出部２４はタグリスト格納部２１に格納されているタグリストから受信した番組ＩＤを有し、レーティングが高いタグリストを検出する。タグリストカタログ送信部２２は、検出されたタグリストをレーティングが高い順でタグリストの名称等を表示するためのタグリストカタログを作成し、作成されたタグリストカタログをコントローラ３０に送信する。
【００２０】
また、タグリストＩＤ受信部２５がタグリストＩＤを受信した場合、類似タグリスト検出部２６は受信したタグリストＩＤを有するタグリストと類似度が高いタグリストをタグリスト格納部２１に格納されているタグリストから検出する。タグリストカタログ送信部２２は、検出されたタグリストを類似度が高い順でタグリストを表示するためのタグリストカタログを作成し、作成されたタグリストカタログをコントローラ３０に送信する。
【００２１】
タグリスト１とタグリスト２との類似度を算出する例を用いて類似度について説明する。類似タグリスト検出部２６は、タグリストＩＤに対応するタグリストの各タグについて、別のタグリスト中の最も近いタグとの時間差をそれぞれ算出する。そして、類似タグリスト検出部２６は、算出された時間差の和を算出する。算出された時間差が小さければ、元のタグリストＩＤに対応するタグリストと類似度が高いことを示す。
【００２２】
図２に示すように、タグリスト１が時間Ｔ11を示すタグ１、時間Ｔ12を示すタグ２、時間Ｔ13を示すタグ３、時間Ｔ11を示すタグ４、および時間Ｔ15を示すタグ５を有する。また、タグリスト２が時間Ｔ21を示すタグ、時間Ｔ22を示すタグ、時間Ｔ23を示すタグ、時間Ｔ21を示すタグ、および時間Ｔ25を示すタグを有する。
【００２３】
類似タグリスト検出部２６は、Ｔ11-Ｔ21の絶対値ΔＴ1、Ｔ12-Ｔ22の絶対値ΔＴ2、Ｔ13-Ｔ23の絶対値ΔＴ3、Ｔ14-Ｔ24の絶対値ΔＴ4、およびＴ14-Ｔ24の絶対値ΔＴ4をそれぞれ算出する。そして、類似タグリスト検出部２６は、類似度としてΔＴ1＋ΔＴ2＋ΔＴ3＋ΔＴ4＋ΔＴ5（＝ΔＴ）を算出する。
【００２４】
あるいは、タグリスト１とタグリスト２のタグの個数が異なる場合、あるタグリスト内のタグと別のタグリスト内のタグとを１対１で対応させる組み合わせを全て求める。そして、各組み合わせについて、対応する１対のタグの時間差の絶対値の総和を求める。求められた総和の内で最小値を有する総和を検出し、検出された最小値を有する総和を類似度とする。この場合も総和が小さいほど、類似度が高い。
【００２５】
コントローラ３０のタグリスト受信部３１は、サーバコンピュータ２０から送信されたタグリストを受信する。表示部３２は、受信したタグリストをディスプレイ３３に表示する。タグリスト格納部２１は、サーバコンピュータ２０から送信されたタグリストを格納する。番組情報取得部３５は、再生部１４によって再生され、ＥＰＧに含まれる番組の情報を取得し、番組情報を番組情報格納部３６に格納する。
【００２６】
入力判定部３８は、入力部３７から出力されたデータに応じてユーザの要求を判定する。
【００２７】
ユーザの要求が再生中のコンテンツのタグリストの一覧の表示であると入力判定部３８によって判定された場合、番組ＩＤ取得部３９は番組情報格納部３６に格納されている番組情報から番組ＩＤを取得し、番組ＩＤ送信部４０が取得した番組ＩＤをサーバコンピュータ２０に送信する。
【００２８】
そして、表示部３２は、サーバコンピュータ２０のタグリストカタログ送信部２２から送信されたタグリストカタログに応じて複数のタグリストの名称等をディスプレイ３３に表示する。図３に表示例を示す。図３に示すように、タグリストの名称（タグリスト１、タグリスト２、タグリスト３、タグリスト４、およびタグリスト５）およびレーティング（星印）が示されている。
【００２９】
ユーザの要求が選択されたタグリスト内のタグの一覧の表示であると入力判定部３８によって判定された場合、タグリストＩＤ取得部４１はタグリスト格納部３４に格納されているデータからタグリストＩＤを取得し、取得したタグリストＩＤと共にタグリストの詳細データの送信要求をサーバコンピュータ２０に送信する。
【００３０】
そして、番組ＩＤ送信後、サーバコンピュータ２０から送信されたタグリストの詳細データを受信し、表示部３２は所得したタグリストの詳細データに応じたタグの一覧をディスプレイ３３に表示する。
【００３１】
タグリストのタグの一覧の表示例を図４に示す。図４に示す例はタグリスト１を表示している場合である。図４に示すように、タグの名称（タグ１、タグ２、…）、および時間情報等が表示されている。また、入力判定部３８によってタグが選択されたと判定された場合、再生位置変更命令送信部４３は、選択されたタグに対応する時間情報が示す時間に再生位置を変更するための命令をテレビ１０に送信する。
【００３２】
ユーザの要求が選択されたタグリストに類似するタグリストの表示であると入力判定部３８によって判定された場合、選択されたタグリストのタグリストＩＤを取得し、タグリストＩＤ送信部４２が取得したタグリストＩＤと共に類似タグリストカタログを要求するための命令をサーバコンピュータ２０に送信する。タグリストＩＤの送信に対応してサーバコンピュータ２０から送信されたタグリストカタログをタグリスト受信部３１が受信する。表示部３２は、受信したタグリストをディスプレイ３３に表示する。
【００３３】
類似度が高い順にタグリストの名称等を表示した例を図５に示す。図５では、タグリスト１との類似度が高い順にタグリストの名称等を表示した例を示している。図５では、タグリスト２、タグリスト４、タグリスト３、およびタグリスト５が順に表示されている。なお、図５において、菱形は類似度を示している。
【００３４】
タグリスト１５の一覧をテレビとは別のコントローラ３０のディスプレイ３３に表示することで、再生映像が見にくくなることを防止することができる。
【００３５】
次に、類似度が高い順にタグリストの名称等の一覧を表示する処理の手順を図６のフローチャートを参照して説明する。
【００３６】
入力部３７からタグリストカタログの表示を要求するための入力があった場合、番組ＩＤ送信部４０からサーバコンピュータ２０に番組ＩＤを送信し、サーバコンピュータ２０から複数のタグリストを表示するためのタグリストカタログを取得する(ステップ９１)。表示部３２は、取得したタグリストカタログに応じてタグリストの一覧をディスプレイ３３に表示する（ステップ９２）。入力判定部３８は、入力部３７からの入力に応じて視聴者がタグリストの中から選択された一つのタグリストを検出する（ステップ９３）。選択されたタグリストのタグリストＩＤをサーバコンピュータに送信する。
【００３７】
サーバコンピュータ２０は、選択されたタグリストとその他のタグリストとの距離をそれぞれ算出する（ステップ９４）。算出された距離に応じてその他のタグリストを距離が小さい順に並べる（ステップ９５）。並べられた順序に応じたタグリストのタグリスト表示情報をコントローラ３０に送信する。
【００３８】
表示部３２は、タグリストカタログに応じて複数のタグリストの一覧を前に選択されたタグリストとの距離が小さい順番（類似度が高い順番）でディスプレイ３３に表示する（ステップ９６）。
【００３９】
以上の処理で類似度が高い順番でタグリストの一覧をディスプレイ３３に表示することができる。
【００４０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
３０…コントローラ、３１…タグリスト受信部、３２…表示部、３３…ディスプレイ、３４…タグリスト格納部、３５…番組情報取得部、３６…番組情報格納部、３７…入力部、３８…入力判定部、３９…ＩＤ取得部、４０…ＩＤ送信部、４１…ＩＤ取得部、４２…ＩＤ送信部、４３…再生位置変更命令送信部。
【図１】
2012029241.tif 000003
【図２】
2012029241.tif 000004
【図３】
2012029241.tif 000005
【図４】
2012029241.tif 000006
【図５】
2012029241.tif 000007
【図６】
2012029241.tif 000008
【手続補正書】
【提出日】平成23年11月28日(2011.11.28)
【手続補正１】
【補正対象書類名】特許請求の範囲
【補正対象項目名】全文
【補正方法】変更
【補正の内容】
【特許請求の範囲】
【請求項１】
入力手段と、
ディスプレイと、
再生装置が有するコンテンツを示すコンテンツ情報を前記再生装置から取得するコンテンツ情報取得手段と、
第１カタログをサーバコンピュータから取得するカタログ取得手段であって、前記第１カタログは、一つ以上のリストに関連付けられており、前記一つ以上のリストはそれぞれ、前記コンテンツの再生変更位置を示す一つ以上の時間情報を有する、カタログ取得手段と、
前記カタログ取得手段によって取得された前記第１カタログに基づいて前記一つ以上のリストを示すリスト情報を前記ディスプレイに表示させる第１表示制御手段と、
前記入力手段からの入力に応じて前記ディスプレイに表示された前記リスト情報から選択された第１リスト内の一つ以上の時間情報を前記ディスプレイに表示させる第２表示制御手段と、
前記入力手段からの入力に応じて前記第１リスト内の一つ以上の時間情報から選択された時間情報に対応する再生位置にジャンプするための命令を前記再生装置に送信する第１送信手段と、
を具備する電子機器。
【請求項２】
前記入力手段からの入力に応じて前記ディスプレイに表示された前記リスト情報から選択された第２リストを示す情報を前記サーバコンピュータに送信する第２送信手段を更に具備し、
前記カタログ取得手段は、前記第２リストとの類似度が高い一つ以上の第３リストが関連付けられている第２カタログを前記サーバコンピュータから取得し、
前記第１表示制御手段は、前記第２カタログに応じて前記一つ以上の第３リストを示す情報を前記ディスプレイに表示させる
請求項１記載の電子機器。
【請求項３】
前記類似度は、前記第１リスト内の前記一つ以上の時間情報のうちの一つの時間情報が示す時間と、前記一つの時間情報に近い、前記サーバコンピュータが有する第４リスト内の一つ以上の時間情報のうちの一つの時間情報が示す時間との差の絶対値を算出し、前記第１リストの各時間情報の前記差の絶対値の和を算出することによって算出される
請求項２記載の電子機器。
【請求項４】
前記類似度は、前記第１リスト内の時間情報の個数と前記サーバコンピュータが有する第４リスト内の時間情報の個数とが異なる場合に、前記第１リスト内の時間情報と前記第４リスト内の時間情報とを１対１で対応させる組み合わせを全て作成し、作成された各組み合わせについて対応する時間情報の差の絶対値の総和をそれぞれ算出し、算出された総和の内から最小値の総和を検出することによって算出される
請求項２記載の電子機器。
【請求項５】
再生装置が有するコンテンツを示すコンテンツ情報を前記再生装置から取得し、
第１カタログをサーバコンピュータから取得し、前記第１カタログは、一つ以上のリストに関連付けられており、前記一つ以上のリストはそれぞれ、前記コンテンツの再生変更位置を示す一つ以上の時間情報を有する、
前記第１カタログに基づいて前記一つ以上のリストを示すリスト情報を前記ディスプレイに表示させ、
前記入力手段からの入力に応じて前記ディスプレイに表示された前記リスト情報から選択された第１リスト内の一つ以上の時間情報を前記ディスプレイに表示させ、
前記入力手段からの入力に応じて前記第１リスト内の一つ以上の時間情報から選択された時間情報に対応する再生位置にジャンプするための命令を前記再生装置に送信する
再生位置リストの表示方法。
【請求項６】
前記入力手段からの入力に応じて前記ディスプレイに表示された前記リスト情報から選択された第２リストを示す情報を前記サーバコンピュータに送信し、
前記第２再生位置リストとの類似度が高い一つ以上の第３リストが関連付けられている第２カタログを前記サーバコンピュータから取得し、
前記第２カタログに応じて前記一つ以上の第３リストを示す情報を前記ディスプレイに表示させる、請求項５に記載の再生位置リストの表示方法。
【請求項７】
前記類似度は、前記第１リスト内の前記一つ以上の時間情報のうちの一つの時間情報が示す時間と、前記一つの時間情報に近い、前記サーバコンピュータが有する第４リスト内の一つ以上の時間情報のうちの一つの時間情報が示す時間との差の絶対値を算出し、前記第１リストの各時間情報の差の絶対値の和を算出することによって算出される
請求項６に記載の再生位置リストの表示方法。
【手続補正２】
【補正対象書類名】明細書
【補正対象項目名】０００８
【補正方法】変更
【補正の内容】
【０００８】
実施形態によれば、電子機器は、入力手段と、ディスプレイと、コンテンツ情報取得手段と、カタログ取得手段と、第１表示制御手段と、第２表示制御手段と、第１送信手段とを具備する。
【手続補正３】
【補正対象書類名】明細書
【補正対象項目名】０００９
【補正方法】変更
【補正の内容】
【０００９】
コンテンツ情報取得手段は、再生装置が有するコンテンツを示すコンテンツ情報を前記再生装置から取得する。カタログ取得手段は、第１カタログをサーバコンピュータから取得するカタログ取得手段であって、前記第１カタログは、一つ以上のリストに関連付けられており、前記一つ以上のリストはそれぞれ、前記コンテンツの再生変更位置を示す一つ以上の時間情報を有する。第１表示制御手段は、前記カタログ取得手段によって取得された前記第１カタログに基づいて前記一つ以上のリストを示すリスト情報を前記ディスプレイに表示させる。第２表示制御手段は、前記入力手段からの入力に応じて前記ディスプレイに表示された前記リスト情報から選択された第１リスト内の一つ以上の時間情報を前記ディスプレイに表示させる。第１送信手段は、前記入力手段からの入力に応じて前記第１リスト内の一つ以上の時間情報から選択された時間情報に対応する再生位置にジャンプするための命令を前記再生装置に送信する。